【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
業として旅客輸送を行う事業者に送信されてきた広告を表示する広告表示装置を貸与した旅客輸送事業者を特定する貸与状況データと、前記広告表示装置を管理する広告表示装置管理業者（又は前記旅客輸送事業者）からの指令に基づき各旅客輸送手段に搭載された前記広告表示装置のそれぞれから送信されてくる位置情報データと、当該広告表示装置を搭載した各旅客輸送手段の運行経路を特定する運行経路情報データと、前記旅客輸送手段のそれぞれに搭載した各広告表示装置に配信して広告内容を表示する広告情報データとを、関連づけて収納するデータ収納手段と，
前記複数の旅客輸送事業者が所有する複数台の各旅客輸送手段のそれぞれの位置情報と関連づけて前記データ収納手段に収納されている各旅客輸送手段の運行経路情報データと、複数の旅客輸送事業者から送信されてくる当該複数の旅客輸送事業者が所有する複数の旅客輸送手段のそれぞれの車両情報データとを、関連づけて格納する旅客輸送手段位置データ編集管理手段と，
前記複数の旅客輸送事業者に貸与し該旅客輸送事業者が所有する複数台の各旅客輸送手段のそれぞれに搭載した前記広告表示装置に対して広告依頼主から配信依頼された前記広告情報データに基づいて当該広告依頼主が指定する状況において行われる広告情報配信処理と、前記広告配信依頼に基づいて行われた広告配信に対する広告料の受け取り処理を行い、前記広告配信依頼に基づいて行われた前記広告情報配信処理に対する広告料の広告料受領処理とを、処理するデータ処理手段と，
前記広告表示装置を貸与した前記旅客輸送事業者を特定する貸与情報と、当該複数の旅客輸送事業者のそれぞれが所有するそれぞれの旅客輸送手段毎の運行経路情報とを当該複数の旅客輸送事業者のそれぞれが所有するそれぞれの旅客輸送手段に搭載した前記広告表示装置から通信回線を通じて受信すると共に前記各旅客輸送手段に搭載した前記広告表示装置に前記各旅客輸送手段の運行経路を特定す運行経路の情報と当該旅客輸送手段の運行位置の情報に基づいて広告主からの広告配信依頼の広告情報を通信回線を通じて受信する受信手段と，
を設けてなる交通機関のための運行情報処理システム。
【請求項２】
業として旅客輸送を行う旅客輸送事業者に貸与し当該旅客輸送事業者が所有する複数台の各旅客輸送手段のそれぞれに搭載した広告依頼主からの配信依頼に基づいて送信されてきた広告を表示する広告表示装置の搭載状況の管理を行う装置搭載状況管理手段と，
前記各旅客輸送手段に搭載した広告表示装置に対する前記広告依頼主からの広告配信依頼の広告内容の管理と、前記各旅客輸送手段に搭載した広告表示装置に対する前記広告依頼主からの広告配信依頼に基づいて当該広告依頼主が指定する広告情報を配信する管理とを、関連づけて管理する広告データ処理手段と，
前記広告依頼主からの広告配信依頼に基づいて当該広告依頼主が指定する広告情報の配信に基づいて前記広告依頼主からの広告料の受け取り処理を行う広告料受取処理手段と，
前記各旅客輸送手段に搭載された広告表示装置から送信されてくる当該旅客輸送手段の位置情報の受信と、前記旅客輸送手段に搭載された広告表示装置に予め記憶されている当該旅客輸送手段の走行予定経路の受信とを、関連づけて処理する走行経路広告配信処理手段と，
前記広告表示装置の搭載された前記旅客輸送事業者が所有する複数台の各旅客輸送手段のそれぞれの運行状況に対応する広告配信状況の送信処理を行う広告配信状況処理手段と，
を設けてなる交通機関のための運行情報処理システム。
【請求項３】
業として旅客輸送を行う旅客輸送事業者に貸与し当該旅客輸送事業者が所有する複数台の各旅客輸送手段のそれぞれに搭載した広告依頼主からの配信依頼に基づいて送信されてきた広告を表示する広告表示装置が前記旅客輸送事業者のどの業者のどの経路を運行するどの旅客輸送手段に搭載されているかを含む搭載状況の管理を行う搭載状況管理手段と，
前記各旅客輸送手段のそれぞれに搭載された前記広告表示装置に対する広告依頼主からの走行経路を特定した広告の配信依頼の走行経路処理と、前記各旅客輸送手段の前記走行経路の特定した走行経路を運行する前記旅客輸送手段に搭載された前記広告表示装置に対して前記広告依頼主からの広告配信依頼に基づいて当該広告依頼主が指定する内容の広告の配信依頼の広告内容処理とを、関連づけて処理する広告特定処理手段と，
前記広告依頼主からの広告配信依頼に基づいて当該広告依頼主が指定する広告情報の配信に基づいて前記広告依頼主からの広告料の受け取り処理を行う広告料受取処理手段と，
前記各旅客輸送手段に搭載された広告表示装置から送信されてくる当該旅客輸送手段の位置情報の受信と、前記旅客輸送手段に搭載された広告表示装置に予め記憶されている当該旅客輸送手段の走行予定経路の受信とを、関連づけて処理する走行経路広告配信処理手段と，
前記広告表示装置の搭載された前記旅客輸送事業者が所有する複数台の各旅客輸送手段のそれぞれの運行状況に対応する広告配信状況の送信処理を行う広告配信状況処理手段と，
を設けてなる交通機関のための運行情報処理システム。
【請求項４】
業として旅客輸送を行う事業者に送信されてきた広告を表示する広告表示装置を貸与した旅客輸送事業者を特定する貸与状況データと、前記広告表示装置を管理する広告表示装置管理業者（又は前記旅客輸送事業者）からの指令に基づき各旅客輸送手段に搭載された前記広告表示装置のそれぞれから送信されてくる位置情報データと、当該広告表示装置を搭載した各旅客輸送手段の運行経路を特定す運行経路情報データと、前記旅客輸送手段のそれぞれに搭載した各広告表示装置に配信して広告内容を表示する広告情報データとを、関連づけて収納するデータ収納手段と，
前記複数の旅客輸送事業者が所有する複数台の各旅客輸送手段のそれぞれの位置情報と関連づけて前記データ収納手段に収納されている各旅客輸送手段の運行経路情報データと、複数の旅客輸送事業者から送信されてくる当該複数の旅客輸送事業者が所有する複数の旅客輸送手段のそれぞれの車両情報データとを、関連づけて格納する旅客輸送手段位置データ編集管理手段と，
前記複数の旅客輸送事業者に貸与し該旅客輸送事業者が所有する複数台の各旅客輸送手段のそれぞれに搭載した前記広告表示装置に対して広告依頼主から配信依頼された前記広告情報データに基づいて当該広告依頼主が指定する状況において行われる広告情報配信処理と、前記広告配信依頼に基づいて行われた広告配信に対する広告料の受け取り処理を行い、前記広告配信依頼に基づいて行われた前記広告情報配信処理に対する広告料の広告料受領処理とを、処理するデータ処理手段と，
前記複数の旅客輸送事業者に貸与し該旅客輸送事業者が所有する複数台の各旅客輸送手段のそれぞれに搭載した前記広告表示装置に対する当該旅客輸送手段の走行位置を示す位置情報の送信処理と、前記広告表示装置に対する前記送信指令に基づき前記それぞれの旅客輸送手段に搭載された前記広告表示装置から送信されてくる前記送信指令に基づきそれぞれの旅客輸送手段に搭載された装置から当該旅客輸送手段の走行位置を示す位置情報の受信処理を行う送受信処理手段と，
前記広告表示装置の搭載された前記旅客輸送事業者が所有する複数台の各旅客輸送手段のそれぞれの運行状況に対応する広告配信状況の送信処理を行う広告配信状況処理手段と，
を設けてなる交通機関のための運行情報処理システム。
【請求項５】
業として旅客輸送を行う事業者に送信されてきた広告を表示する広告表示装置を貸与した旅客輸送事業者を特定する貸与状況データと、前記広告表示装置を管理する広告表示装置管理業者（又は前記旅客輸送事業者）からの指令に基づき各旅客輸送手段に搭載された前記広告表示装置のそれぞれから送信されてくる位置情報データと、当該広告表示装置を搭載した各旅客輸送手段の運行経路を特定する運行経路情報データと、前記旅客輸送手段のそれぞれに搭載した各広告表示装置に配信して広告内容を表示する広告情報データとを、関連づけて収納する第１のステップと，
前記第１のステップで収納される複数の旅客輸送事業者が所有する複数台の各旅客輸送手段のそれぞれの位置情報と関連づけて前記第１のステップに収納されている各旅客輸送手段の運行経路情報データと、複数の旅客輸送事業者から送信されてくる当該複数の旅客輸送事業者が所有する複数の旅客輸送手段のそれぞれの車両情報データとを、関連づけて格納する第２のステップと，
前記複数の旅客輸送事業者に貸与し該旅客輸送事業者が所有する複数台の各旅客輸送手段のそれぞれに搭載した前記広告表示装置に対して広告依頼主から配信依頼された前記広告情報データに基づいて当該広告依頼主が指定する状況において行われる広告情報と、前記広告配信依頼に基づいて行われた配信された広告に対する広告料の受領と、前記広告配信依頼に基づいて行われた前記広告情報配信処理に対する広告料の広告料受領を処理する第３のステップと，
前記広告表示装置を貸与した前記旅客輸送事業者を特定する貸与情報と、当該複数の旅客輸送事業者のそれぞれが所有するそれぞれの旅客輸送手段毎の運行経路情報とを当該複数の旅客輸送事業者のそれぞれが所有するそれぞれの旅客輸送手段に搭載した前記広告表示装置から通信回線を通じて受信すると共に前記各旅客輸送手段に搭載した前記広告表示装置に前記各旅客輸送手段の運行経路を特定す運行経路の情報と当該旅客輸送手段の運行位置の情報に基づいて広告主からの広告配信依頼の広告情報を通信回線を通じて受信する第４のステップと，
を設けてなる交通機関のための運行情報処理方法。
【請求項６】
前記第１のステップと、前記第２のステップと、前記第３のステップと、前記第４のステップに加え，
前記第１のステップにおける当該広告表示装置を搭載した各旅客輸送手段が運行する運行経路情報データに変更があった場合には、変更された運行経路情報データと、当該変更された運行経路に広告表示装置管理業者（又は前記旅客輸送事業者）からの広告依頼に基づいた広告情報データを配信する第４のステップを設けたことを特徴とする請求項５に記載の交通機関のための運行情報処理方法。
【手続補正２】
【補正対象書類名】明細書
【補正対象項目名】発明の名称
【補正方法】変更
【補正の内容】
【発明の名称】交通機関のための運行情報処理システム、および交通機関のための運行情報処理方法